(57)【要約】【課題】肩および二の腕周辺を冷やさない、常時着用可能なショルダーウォーマー【解決手段】収縮性に富み、保温性に優れたフリース等の素材を用い、左右の両肩および二の腕部分をカバーし、同時に首と、左右の袖口および脇から胸に至る部分とが肌に密着しながら開口している、肩および二の腕周辺のみを必要最小限の面積で保温できるチューブ型の形状とすることで、就寝時、スポーツ時ほか、日常的に着用する衣類の下に見えないかたちでの着用が可能になる。その結果、首と左右の袖口および脇から胸に至る各開口部からの外気侵入を防ぎつつ、肩および二の腕周辺の必要な部位だけの保温性を如何なる状況下においても常時キープすることが可能になる。【選択図】図１
2016132851.tif 000002
【特許請求の範囲】
【請求項１】
収縮性に富み、保温性に優れたフリース等の素材を用い、前記フリース等の素材が左右の両肩および二の腕部分をカバーし、同時に前記フリース等の素材が首と左右の袖口および脇から胸に至る部分とが肌に密着しながら開口している、前記フリース等の素材が肩および二の腕周辺のみを部分的に保温するのに最適なチューブ型等の形状を持つことを特徴とする肩、腕まわりを冷やさないショルダーウォーマー。
【請求項２】
請求項１記載のショルダーウォーマーであって、
左右の両肩および二の腕部分という特に皮下脂肪が少ない、それ故冷え易い部分のみを、必要最小限の面積の前記フリース等の素材で覆うことで、肩、腕まわりの保温に特化したことを特徴とする肩、腕まわりを冷やさないショルダーウォーマー。
【請求項３】
請求項１、および２記載のショルダーウォーマーであって、
前記フリース等の素材以外、各種のテープ、ジッパー、ボタン等の他の素材を用いることなく、かつ固定や補強、締め、止めに関する前記フリース等の素材を加工する工程も、前記フリース等の素材を用いて作る製品の開口部を補整、補強のための縫製のみとすることによって、前記フリース等の素材が素肌に直接触れる肌触りが可能な限り柔らかく違和感のないものであることを特徴とする肩、腕まわりを冷やさないショルダーウォーマー。
【請求項４】
前記フリース等の素材は、優れた収縮性と保温性の他に、洗浄性に関しても日常的な作業で清潔さが復帰することを特徴とする肩、腕まわりを冷やさないショルダーウォーマー。
【請求項５】
請求項２、３、および４記載のショルダーウォーマーであって、
前記フリース等の素材を使って作られる製品の面積、前記フリース等の素材、前記フリース等の素材を使って作られる製品が加工される工程、さらに前記フリース等の素材を使って作られる製品のメンテナンスに関して、可能な限りミニマムコストであることを特徴とする肩、腕まわりを冷やさないショルダーウォーマー。
【発明の詳細な説明】
【技術分野】
【０００１】本発明は肩および二の腕周辺を冷やさないためのショルダーウォーマーであり、就寝時のみならず登山やウィンタースポーツを行う際や、普段着の下に常時着用可能な防寒着に関する。
【背景技術】
【０００２】就寝時に着用される肩周辺を冷やさない防寒着としては、通常より肩周辺を広く覆う形状のダウンベスト型のものが登場している。【０００３】また登山やウィンタースポーツ用としては、上半身、または下半身全体を冷やさない目的で各種のアンダーウェアが開発されている。【０００４】さらに、ヒートテック等の技術によって作られた日常的に普段着の下に着用できる防寒用の各種下着類も開発され、普及している。
【発明の開示】
【発明が解決しようとする課題】
【０００５】然し乍ら、就寝時の防寒寝具、または登山やウィンタースポーツ用途の各種アンダーウェア、さらに普段着の下に着用できる各種の防寒用下着が登場しているにもかかわらず、五十肩や肩こりの主原因である肩および二の腕周辺の防寒に特化し、各種の状況下において外見上、および着用感等から、常時無理なく使用できるショルダーウォーマーは存在していない。【０００６】本発明は上記のような課題に鑑み、就寝時または登山やウィンタースポーツ時、さらに日常的に普段着の下に着用することで、肩および二の腕周辺を常に冷やさない防寒着を提供する。
【課題を解決するための手段】
【０００７】第一の手段は、
収縮性に富み、保温性に優れたフリース等の素材を用い、左右の両肩および二の腕部分をカバーし、同時に首と、左右の袖口および脇から胸に至る部分とが肌に密着しながら開口している、肩および二の腕周辺のみを部分的に保温するのに最適なチューブ型等の形状を持つ。【０００８】本手段を、フリース等の素材の中でも、特に収縮性に富んだものを用いて図１のような形状にすることによって、首と左右の袖口および脇から胸に至る各開口部分からの外気侵入を防ぐことが可能となり、同時に肩および二の腕周辺への接触感が暖かいフリース等の素材を用いることによって、必要な部位だけの保温性をキープすることができる。【０００９】第二の手段は、第一の手段を有し、かつ
左右の両肩および二の腕部分という特に皮下脂肪が少ない、それ故冷え易い部分のみを覆う必要最小限の面積で構成する。【００１０】本手段によって、たとえば就寝時なら素肌とパジャマ等の寝具の間、あるいは登山時やウィンタースポーツ時なら素肌と各登山着や運動着の間、さらに日常的には素肌と下着の間に着用することができるため、外見上当該ウォーマーが見えない状態で肩および二の腕周辺を温めることができ、同時に他の部位からの不要な発汗を抑えることが可能となる。【００１１】第三の手段は、第一および第二の手段を有し、かつ
各種のテープ、ジッパー、ボタン等、フリース以外の素材を用いることなく、かつ固定や補強、締め、止めに関する工程も、開口部の補整、補強のための縫製のみとすることで、素肌に直接触れる肌触りを可能な限り柔らかく違和感のない構成とする。【００１２】本手段によって、外見のみならず、睡眠やスポーツ、さらに日常生活でのあらゆる行動時に着用しても感覚的に支障を与えない、ストレスフリーな製品とすることができる。【００１３】第四の手段は、
素材としての収縮性と保温性との他に、洗浄性に関しても日常的な作業で清潔さが復帰する素材を用いる。【００１４】本手段によって、常に肌に接することで汗を吸う当該ショルダーウォーマーを、自宅で簡単に洗濯できるようにする。【００１５】第五の手段は、第二、第三、および第四の手段を有することによって、
面積、素材、工程、メンテナンス的に、可能な限りミニマムコストな製品とする。【００１６】本手段によって、日常的に洗濯されても常に予備分が手元にあるように、当該ショルダーウォーマーの提供価格を安く抑えることができる。
【発明の効果】
【００１７】第一の手段に係る発明によれば、就寝時、特に気になる上掛け用のふとん等の寝具と首や肩口のすきまから入り込み、肩および二の腕周辺を冷やす外気を常に遮断しつつ、肌触りよく暖かく保温することが容易となる。【００１８】第二の手段乃至第三の手段に係る発明によれば、面積的に最小限に留めることを可能に構成し、素材的にはフリース等の単一素材、工程的には開口部の縫製のみに留める構成とすることで、たとえば日常的にネクタイ着用が求められる男性でも、首まわりから当該ショルダーウォーマーの着用が外見上見えることなく、着用感も違和感無く当該ショルダーウォーマーを常時着用したままで仕事をすることができる。【００１９】第四の手段乃至第五の手段に係る発明によれば、使用コスト、および購入コストの両面でアドバンテージがある。
【発明を実施するための最良の形態】
【００２０】本発明のショルダーウォーマーの実施例を、以下図面に基づいて詳細に説明する。図１は、当該ショルダーウォーマーの概要を示す全体構成図である。図のように当該ショルダーウォーマーは、首部（１０１）、右肩から右二の腕部（１０２）、左肩から左二の腕部（１０３）、右袖部（１０４）、左袖部（１０５）、右脇から右胸部（１０６）、左脇から左胸部（１０７）の各々に開口部のある、チューブ状等の形態を持つ。各々の開口部付近にある点線は、補整、補強のための縫製糸を示す。【００２１】図２は、当該ショルダーウォーマーを図１に示した首部（１０１）の開口部を上方から見た上図（２０１）、および図１に示した右脇から右胸部（１０６）、左脇から左胸部（１０７）の各開口部を下方から見た下図（２０２）からなる。各々の開口部付近にある点線は、補整、補強のための縫製糸を示す。
【図面の簡単な説明】
【００２２】
【図１】本発明のショルダーウォーマーに関する全体構成図である。
【図２】本発明のショルダーウォーマーに関する上方、および下方から見た図である。
【符号の説明】
【００２３】１０１  首部
１０２  右肩から右二の腕部
１０３  左肩から左二の腕部
１０４  右袖部
１０５  左袖部
１０６  右脇から右胸部
１０７  左脇から左胸部
２０１  首の開口部を上方から見た図
２０２  脇から胸の開口部を下方から見た図
【図１】
2016132851.tif 000003
【図２】
2016132851.tif 000004